(57)【要約】【課題】ネットワークにおいて配信するコンテンツは，その所有者情報がないため，コンテンツを配信した後に不正に改ざんされたり不正に複製されたりした場合でも，その責任所在が不明確であった．【解決手段】コンテンツ配信者からコンテンツを配信する際には，ダウンロードをした利用者の個人情報を埋め込んだ暗号化コンテンツとする共に，暗号鍵を用いて暗号を解読する場合にもコンテンツに利用者の情報を埋め込むことで，利用者の所有権を明確にする．また仮に他人がダウンロードしたコンテンツに対して暗号を解く場合も，コンテンツ内にある個人情報を，暗号を解く人の個人情報に更新することで，最終的なコンテンツの所有者を明確にする．【選択図】　　図１
2004038127.tif 000002
【特許請求の範囲】
【請求項１】
コンピュータネットワークによりコンテンツデータを配信するシステムにおいて，
コンテンツ利用者の個人情報を登録する利用者登録手段と
コンテンツデータを利用者登録手段によって登録された利用者の個人情報より当該利用者独自の暗号化を行うコンテンツ暗号化手段と，
利用者登録手段によって登録された利用者の個人情報より当該利用者独自の暗号鍵を生成する利用者暗号鍵生成手段と
コンテンツ暗号化手段により暗号化された暗号コンテンツを利用者暗号鍵生成手段により生成した鍵を用いることでコンテンツを利用できると共にコンテンツを使用した際にその利用状況をコンテンツ配信者に伝える機能を持つ暗号解読デコーダ手段を用いることで，
コンテンツ利用者からコンテンツを利用するたびにその利用料を課金することを可能とするコンテンツ利用料課金システム．
【請求項２】
請求項１に記すコンテンツ利用料課金システムにおいて，
利用者暗号鍵生成手段を用いて暗号解読デコーダ手段にてコンテンツ暗号化手段で暗号化した暗号コンテンツの解読をした場合，
暗号解読デコーダ手段に解読したコンテンツに対しても利用者情報を埋め込む利用者情報埋込手段をもつことで，
暗号を解読したコンテンツに対してもコンテンツ利用者の固有情報を保持できることでコンテンツの所有者を明確にすることで正確な課金ができることを特徴とするコンテンツ利用者情報保持課金システム．
【請求項３】
請求項１に記すコンテンツ利用料課金システムにおいて，利用者間で暗号コンテンツを授受した場合，
受け側利用者の利用者暗号鍵生成手段を用いて暗号解読デコーダ手段にて受取った暗号コンテンツの解読をした場合，
暗号コンテンツおよび暗号を解読したコンテンツに付加した利用者情報を受け側利用者の情報へ書き換える利用者情報更新手段を持つことで，顧客間でコンテンツを授受した場合にもコンテンツの所有者を明確にすることで正確な課金ができることを特徴とする顧客間授受コンテンツに対する課金システム．
【発明の詳細な説明】
【０００１】
【発明の属する技術分野】
本発明は、コンピュータネットワークを介した有料のプログラムの配信、有料の音楽情報の配信、有料の書籍情報の配信など、コンピュータネットワークを介したあらゆる有料のコンテンツの配信における課金システムにおいて利用可能である。
【０００２】
【従来の技術】
従来、コンピュータネットワークを介した有料のコンテンツを配信する場合情報やコンテンツの配信元にコンテンツを取得に来た利用者に対して課金情報を流すことにより、そのコンテンツの利用料金を課金していた。
【０００３】
【発明が解決しようとする課題】
このように従来のコンテンツの利用料金課金手段では、コンテンツの配信元にコンテンツを取得に来た利用者に対して課金することは可能であるが、既にコンテンツの配信元から取得したコンテンツを複製し、コンテンツの配信元にコンテンツを取得に来た利用者以外の人々に配布された場合、この複製コンテンツを利用した利用者に対してコンテンツの利用料金を課金することは不可能であった。
【０００４】
また，仮に不正にコンテンツを入手した利用者を発見した場合でも，そのコンテンツをどの利用者から入手したかを特定することが不可能であり不正な複製コンテンツに対する責任所在を明確にすることが不可能であった．
【０００５】
【課題を解決するための手段】
そこで，請求項１に示すコンピュータネットワークによりコンテンツデータを配信するシステムにおいて，コンテンツ利用者の個人情報を登録する利用者登録手段とコンテンツデータを利用者登録手段によって登録された利用者の個人情報より当該利用者独自の暗号化を行うコンテンツ暗号化手段と，利用者登録手段によって登録された利用者の個人情報より当該利用者独自の暗号鍵を生成する利用者暗号鍵生成手段とコンテンツ暗号化手段により暗号化された暗号コンテンツを利用者暗号鍵生成手段により生成した鍵を用いることでコンテンツを利用できると共にコンテンツを使用した際にその利用状況をコンテンツ配信者に伝える機能を持つ暗号解読デコーダ手段を用いることで，コンテンツ利用者からコンテンツを利用するたびにその利用料を課金することを可能とするコンテンツ利用料課金システムと，請求項２に示すコンテンツ利用料課金システムにおいて，利用者暗号鍵生成手段を用いて暗号解読デコーダ手段にてコンテンツ暗号化手段で暗号化した暗号コンテンツの解読をした場合，暗号解読デコーダ手段に解読したコンテンツに対しても利用者情報を埋め込む利用者情報埋込手段をもつことで，暗号を解読したコンテンツに対してもコンテンツ利用者の固有情報を保持できることでコンテンツの所有者を明確にすることで正確な課金ができることを特徴とするコンテンツ利用者情報保持課金システムを適用することで，コンテンツ配信者のもとへコンテンツを取りに来た人に対しては課金を実施する．
【０００６】
また，コンテンツ配信者のもとへコンテンツを取りに来た人からコンテンツを授受した利用者に対しては，請求項３に示す受け側利用者の利用者暗号鍵生成手段を用いて暗号解読デコーダ手段にて受取った暗号コンテンツの解読をした場合，暗号コンテンツおよび暗号を解読したコンテンツに付加した利用者情報を受け側利用者の情報へ書き換える利用者情報更新手段を持つことで，顧客間でコンテンツを授受した場合にもコンテンツの所有者を明確にすることで正確な課金ができることを特徴とする顧客間授受コンテンツに対する課金システムを適用することにより，授受したコンテンツの所有権を明確にすると共に，利用した利用者に課金を行う．
【０００７】
【発明の実施の形態】
本発明の顧客間授受コンテンツに対する課金システムは、配信する暗号化コンテンツおよび暗号鍵を用いて解読したコンテンツに対して，コンテンツ利用者の個人情報を登録する利用者登録手段で登録した利用者の個人情報を埋め込むことにより実現する．
【０００８】
【実施例】
以下、本発明をその実施例を示す図に基づいて説明する。図１は、本発明の顧客間授受コンテンツに対する課金システムについてシステム構成の概要を示した図である。
【０００９】
コンテンツの利用者Ａ２は、まずコンテンツ配信者の持つ利用者登録手段１１に対して、住所や氏名などの個人情報と共に、コンテンツ利用代金の支払方法などを登録する．登録が終了すると利用者暗号鍵生成手段１３より利用者特有の暗号鍵が生成され送られてくる．
【００１０】
次に利用したいコンテンツをダウンロードする．このコンテンツはコンテンツ暗号化手段１２により利用者の個人情報などを用いて利用者毎に独自の暗号化を行ったコンテンツとなる．暗号化は独自のフォーマットなので利用者固有の情報を埋め込むことに技術的な問題点はない．
【００１１】
利用者は暗号化コンテンツと暗号鍵を入手すると，暗号解読デコーダ手段２１を用いて暗号化コンテンツの暗号を解読し，元のアプリケーションプログラムが利用可能なフォーマットのコンテンツに戻す．このとき，解読後の情報にも利用者情報埋込手段２１１により利用者固有の情報を埋め込む．この埋め込み方法であるが，例えば，一般的に様々なコンテンツには独自のデータフォーマットが存在し，そのフォーマット規則に反する情報が負荷される事は許されない．しかし，コンピュータをオペレーティングシステムがデータ管理を実施するためのファイル管理部分は全てのデータフォーマットに存在する．本発明では，コンテンツ利用者が個人情報を登録する利用者登録手段１１で登録した場合利用者毎の独立した利用者番号を発行し，その番号をファイル管理部分に挿入することで実現することが可能となる．
【００１２】
ここで，仮に利用者Ａが自らの暗号鍵で，利用者Ｂがダウンロードした暗号化コンテンツに対して暗号解読デコーダ手段２１を用いて暗号を解読した場合，利用者情報更新手段２１２により生成されるコンテンツおよび暗号化コンテンツ内に埋め込む個人情報を利用者Ｂの情報へ更新する．これにより暗号コンテンツをダウンロードしようが利用者間で授受しようが，その暗号を解いた者が所有者であることが明確化される．
【００１３】
ここで，仮に利用者Ａが自らの暗号鍵で，利用者情報を改ざんした暗号コンテンツに対して暗号解読デコーダ手段２１を用いて暗号を解読した場合，暗号解読デコーダ手段２１では，解読前に暗号化コンテンツに埋め込まれた個人情報がコンテンツ配信者に登録されているかを確認するため，改ざんデータであることが明白になる．これにより改ざんデータをデコードすることはない．
【００１４】
【発明の効果】
以上のように，本発明を用いればコンテンツもしくは暗号化コンテンツに常に利用者情報を埋め込むことが可能となることにより，コンテンツに対する所有権者が明確になる．これにより仮にコンテンツが不正に改ざんされたり複製された場合でも，その責任所在を明確にすることが可能となる．
【図面の簡単な説明】
【図１】本発明における顧客間授受コンテンツに対する課金システムの概要を示す図である．
【符号の説明】
１　　　コンテンツ配信者
１１　　利用者登録手段
１２　　コンテンツ暗号化手段
１３　　利用者暗号鍵生成手段
２　　　利用者Ａ
２１　　暗号解読デコーダ手段
２１１　利用者情報埋込手段
２１２　利用者情報更新手段
３　　　利用者Ｂ
【図１】
2004038127.tif 000003